(57)【特許請求の範囲】
【請求項１】
主電源の電圧又は電流を測定して所定の閾値と比較することにより主電源の有無を検出する主電源検出回路と、
電源スイッチを操作する毎に所定時間だけ電源スイッチのオン信号を保持する信号保持回路と、
前記主電源の電圧を変換して電子機器の各部を駆動するための電源を出力する電源供給回路と、
前記主電源が検出され、前記電源スイッチのオン信号が保持されている間に前記電源供給回路を起動するとともに、この電源供給回路を起動させる際には遅延させず、かつ停止させる際には一定時間遅延させる第１の遅延回路を有する電源起動回路と、
前記電源供給回路から電源の供給を受けて起動し、起動した後は電源起動回路の制御を行うマイクロコンピュータと
からなることを特徴とする電源制御装置。
【請求項２】
前記電源供給回路とマイクロコンピュータとの間に、前記電源供給回路の出力電圧を検出する電圧検出回路と、前記電源供給回路の出力電圧が上昇して所定の電圧に達した際にマイクロコンピュータのリセットを一定時間遅延させ、前記電源供給回路の出力電圧が下降して所定の電圧より低くなった際に遅延することなくマイクロコンピュータをリセットする第２の遅延回路とを設けたことを特徴とする請求項１記載の電源制御装置。
【請求項３】
前記遅延回路は、一定のクロックパルスを生成する時計回路によって制御されることを特徴とする請求項２記載の電源制御装置。
【発明の詳細な説明】
【０００１】
【発明の属する技術分野】
本発明は、電子機器を使用しない状態では電源の消耗をほとんどなくすとともに、電源起動／電源オフを勝手に繰り返すことがない電源制御装置に関するものである。
【０００２】
【従来の技術】
デジタルスチルカメラ（デジタルカメラ），デジタルビデオカメラ，携帯型情報端末（ＰＤＡ），携帯電話，ボイスメモ，携帯型オーディオプレイヤー等の電子機器では、時計機能や、各種の設定を記憶しておくためのメモリ機能を備えている他、使用しない（例えばデジタルスチルカメラでは撮影等を行わない）状態が例えば３分以上継続すると、自動的に電源スイッチをオフにして、電源電池（例えばリチウムイオン電池や単三型電池等）の無駄な消耗を防ぐオートパワーオフ機能等を備えているものが多い。
【０００３】
このような機能は、周知のようにマイクロコンピュータによって実現されている。このため、電源スイッチがオフの状態であっても、マイクロコンピュータには電源電池から微量ながら待機電流が常に供給されている。そして、電源スイッチがオンにされると、これをマイクロコンピュータが検知して起動し、電源供給回路から各部に必要な電力を供給している。
【０００４】
【発明が解決しようとする課題】
上述のように、電源スイッチを切ったままでも電子機器の電源電池は消耗する。したがって、不経済であるばかりでなく、更に大きな問題点がある。それは、電源電池がかなり消耗した状態で電源スイッチをオンにした場合、電源供給回路が十分に動作せず、マイクロコンピュータの起動途中に電源オフ処理を行う必要が生じることがある。この処理のタイミング制御が非常に難しいため、マイクロコンピュータがハングアップして電源起動／電源オフを勝手に繰り返すハンチング現象を起こす場合がある。
【０００５】
本発明は、上記問題点を解消するためになされたものであり、電子機器を使用しない状態では電源の消耗をほとんどなくすとともに、電源起動／電源オフを勝手に繰り返すことがない電源制御装置を提供することを目的とする。
【０００６】
【課題を解決するための手段】
上記目的を達成するために、本発明の電源制御装置は、主電源の電圧又は電流を測定して所定の閾値と比較することにより主電源の有無を検出する主電源検出回路と、電源スイッチを操作する毎に所定時間だけ電源スイッチのオン信号を保持する信号保持回路と、前記主電源の電圧を変換して電子機器の各部を駆動するための電源を出力する電源供給回路と、前記主電源が検出され、前記電源スイッチのオン信号が保持されている間に前記電源供給回路を起動するとともに、この電源供給回路を起動させる際には遅延させず、かつ停止させる際には一定時間遅延させる第１の遅延回路を有する電源起動回路と、前記電源供給回路から電源の供給を受けて起動し、起動した後は電源起動回路の制御を行うマイクロコンピュータとからなるものである。
【０００７】
また、前記電源供給回路とマイクロコンピュータとの間に、前記電源供給回路の出力電圧を検出する電圧検出回路と、前記電源供給回路の出力電圧が上昇して所定の電圧に達した際にマイクロコンピュータのリセットを一定時間遅延させ、前記電源供給回路の出力電圧が下降して所定の電圧より低くなった際に遅延することなくマイクロコンピュータをリセットする第２の遅延回路とを設けたものである。また、前記遅延回路は、一定のクロックパルスを生成する時計回路によって制御されるものである。
【０００８】
【発明の実施の形態】
本発明の第１実施形態である電源制御装置を示す図１において、電源制御装置１０は、本実施形態では、例えばデジタルカメラに内蔵される。電源制御装置１０に接続される主電源としては、例えば単三型電池１１が用いられる。この他、ＡＣアダプター１２を接続して用いることが可能である。また、充電回路を内蔵しておき、単三型電池１１の代わりに、例えばリチウムイオン電池等を用いることにより、ＡＣアダプター１２の接続時に充電することも可能である。
【０００９】
単三型電池１１の端子が接触される電気接点１３は、主電源電圧検出回路１４を介して電源起動回路１５及びマイクロコンピュータ１６に接続されている。電源起動回路１５は、１個のＡＮＤ回路２１と、２個のＯＲ回路２２，２３と、遅延回路ＤＬ１とからなる。ＡＮＤ回路２１には、主電源電圧検出回路１４とＯＲ回路２２からの各出力が入力される。
【００１０】
ＯＲ回路２２は、３入力のＯＲゲートである。１つ目の入力は、直列接続された２個の単安定マルチバイブレータＭＭ１，ＭＭ２を介して入力される電源ボタンＳＷ１のオン信号である。２つ目の入力は、単安定マルチバイブレータＭＭ１，ＭＭ２を介して入力されるスイッチＳＷ２からのＡ＿ｏｎ信号である。３つ目の入力は、ＡＮＤ回路２５からの出力信号である。
【００１１】
スイッチＳＷ２は、電源ボタンＳＷ１の操作以外に電源が自動起動される際にオンされるスイッチである。スイッチＳＷ２がオンされる場合としては、例えばＡＣアダプター１２を接続して充電式電源電池（例えばリチウムイオンバッテリー）を充電制御する場合（ＡＣアダプター１２の接続を検出）や、リモコン，無線通信（Bluetooth ）等の遠隔操作による電源オンの信号を無線受信モジュールが受け付けた場合等がある。
【００１２】
ＡＮＤ回路２１からの出力は、直接にＯＲ回路２３の一方の端子に入力されるとともに、遅延回路ＤＬ１を介してＯＲ回路２３の他方の端子に入力される。ＡＮＤ回路２１からの出力ＨｉがＯＲ回路２３に入力されると、直ちにＯＲ回路２３からの出力，すなわち電源起動回路１５からの制御信号であるパワーコントロール信号（以下ＰＷＣＴＬ信号という）はＨｉになるが、ＡＮＤ回路２１からの出力がＬｏに変わっても、ＰＷＣＴＬ信号は直ぐにはＬｏにならずにＨｉのまま所定時間だけ変化しない。ＰＷＣＴＬ信号がＨｉになると、電源供給回路であるＤＣ／ＤＣコンバータ３０が起動し、ＰＷＣＴＬ信号がＬｏになると、ＤＣ／ＤＣコンバータ３０が停止するが、上記遅延回路ＤＬ１の作用により、ＤＣ／ＤＣコンバータ３０の起動は迅速に、停止はゆっくりと行われる。
【００１３】
ＤＣ／ＤＣコンバータ３０から出力されるシステム電源（単三型電池１１の主電源に対し、マイクロコンピュータ１６と、デジタルカメラの各部（電子ビューファインダーとしての液晶パネル，撮影レンズ，レンズバリア，ＣＣＤイメージセンサー，ストロボ装置等）とからなるシステム全体を実際に駆動するための電源）は、スイッチＳＷ３を介して、マイクロコンピュータ１６の電源入力端子と、システム電源電圧検出回路３２と、デジタルカメラの各部とに送出される。なお、スイッチＳＷ３は、ＤＣ／ＤＣコンバータ３０からシステム電源が出力されると、その電圧の大小にかかわらずオンになり、マイクロコンピュータ１６が起動した後は、マイクロコンピュータ１６によってオン／オフが制御される。
【００１４】
システム電源電圧検出回路３２は、ＤＣ／ＤＣコンバータ３０から入力されるシステム電源の電圧がシステム全体を駆動するために最低限必要な規定電圧Ｖ２に達すると、Ｈｉ信号を、ＡＮＤ回路３３の一方の入力端子には直接に、他方の入力端子には遅延回路ＤＬ２を介してそれぞれ入力する。ＡＮＤ回路３３からの出力は、マイクロコンピュータ１６のリセット端子（ＲＥＳＥＴ）と、ＡＮＤ回路２５の一方の入力端子とにそれぞれ入力される。
【００１５】
システム電源電圧検出回路３２がＨｉ信号を出力しても、遅延回路ＤＬ２により、マイクロコンピュータ１６が直ぐにはリセットされず、システム電源の電圧がマイクロコンピュータ１６を起動するのに十分な電圧に達するまで、リセットが遅らされる。すなわち、システム電源の電圧が十分あるときはマイクロコンピュータ１６はリセットされる。
【００１６】
マイクロコンピュータ１６には、例えばフラッシュメモリ等の不揮発性のメモリ３５が接続されている。メモリ３５には、オペレーティング・システム（ＯＳ）とともに前回に設定された各種の設定値等がバックアップデータとして記憶されている。マイクロコンピュータ１６は、起動してＯＳを立ち上げた後、適宜にメモリ３５からバックアップデータを読み込んで各部を駆動する。
【００１７】
また、マイクロコンピュータ１６は、ＯＳを立ち上げた後、ＡＣＴ端子からシステム動作信号（以下ＡＣＴ信号という）をＡＮＤ回路２５に出力して電源起動回路１５を制御する。また、マイクロコンピュータ１６は、主電源電圧検出回路１４から入力される主電源の電圧を監視するとともに、電源ボタンＳＷ１からの電源断信号（ＰＷｏｆｆ信号）を監視する。なお、ＰＷｏｆｆ信号は、マイクロコンピュータ１６が完全に起動した後の電源ボタンＳＷ１の再操作によって出力される。
【００１８】
このように構成された電源制御装置１０の作用を図２〜図４を参照して説明する。単三型電池１１をデジタルカメラの電池室にセットすると、主電源電圧検出回路１４によって単三型電池１１の電圧が、デジタルカメラの動作に最低限必要な規定電圧Ｖ１以上か否かが検出される。単三型電池１１の電圧が規定電圧Ｖ１以上の場合には、主電源が有るとして、主電源電圧検出回路１４から主電源有り無し検出信号（以下ＶＤＥＴ信号という）のＨｉ信号がＡＮＤ回路２１とマイクロコンピュータ１６に出力される。ただし、この時点では、マイクロコンピュータ１６が立ち上がっていないから、ＶＤＥＴ信号のＨｉ信号はＡＮＤ回路２１のみに入力される。また、マイクロコンピュータ１６には、待機電流が流されていないから、単三型電池１１の消耗はきわめて少ない。
【００１９】
次に、電源ボタンＳＷ１を押圧操作すると、単安定マルチバイブレータＭＭ１から短い時間幅の方形波Ｐが単安定マルチバイブレータＭＭ２に１個出力される。単安定マルチバイブレータＭＭ２は、方形波Ｐの立ち下がりエッジのタイミングで方形波Ｐより長い時間幅の方形波ＱをＯＲ回路２２とマイクロコンピュータ１６とに出力する。ただし、この時点では、マイクロコンピュータ１６は立ち上がっていないから、方形波ＱはＯＲ回路２２のみに入力される。
【００２０】
方形波ＱがＯＲ回路２２に入力されている間は、ＯＲ回路２２からＡＮＤ回路２１にＨｉが出力されるから、主電源電圧検出回路１４からの入力Ｈｉとから、ＡＮＤ回路２１からの出力がＨｉとなる。これにより、直ちにＯＲ回路２３からの出力がＨｉとなり、電源起動回路１５からＤＣ／ＤＣコンバータ３０にＰＷＣＴＬ信号＝Ｈｉが出力されると、ＤＣ／ＤＣコンバータ３０が起動を開始する。
【００２１】
方形波Ｑの時間幅は、ＤＣ／ＤＣコンバータ３０から出力されるシステム電源の電圧が、システム全体を駆動させるために必要な規定電圧Ｖ２に達するまでに要する時間以上に設定されている。また、単安定マルチバイブレータＭＭ２は、一旦方形波Ｑを出力し始めると、この方形波Ｑの時間幅内は、単安定マルチバイブレータＭＭ１からの方形波Ｐを受け付けないから、例えばマイクロコンピュータ１６の立ち上げ途中に、不用意に電源ボタンＳＷ１を操作しても、パワーオフ処理に入ることがなく、マイクロコンピュータ１６がハングアップするおそれはない。
【００２２】
ＤＣ／ＤＣコンバータ３０が起動して単三型電池１１が電源供給し始めると、スイッチＳＷ３がオンにされるとともに、ＤＣ／ＤＣコンバータ３０からの出力，すなわちシステム電源がマイクロコンピュータ１６の電源入力端子と、システム電源電圧検出回路３２に入力される。システム電源の電圧が規定電圧Ｖ２に達すると、システム電源電圧検出回路３２からの出力ＨｉがＡＮＤ回路３３と遅延回路ＤＬ２に送られる。
【００２３】
遅延回路ＤＬ２により所定時間だけ遅れてＡＮＤ回路３３の両方の入力端子がＨｉになるから、システム電源の電圧が規定電圧Ｖ２より十分に高くなってから、ＡＮＤ回路３３からリセット信号がマイクロコンピュータ１６に送られる。マイクロコンピュータ１６はリセットされた後、電源入力端子から入力されるシステム電源により起動される。
【００２４】
マイクロコンピュータ１６は起動されると、直ぐにメモリ３５からＯＳを読み込んで立ち上げた後、まずＡＣＴ信号をＡＮＤ回路２５に出力してＰＷＣＴＬ信号＝Ｈｉを維持する。これにより、単安定マルチバイブレータＭＭ２からの方形波Ｑの出力時間が経過した後もＤＣ／ＤＣコンバータ３０の駆動が継続され、各部にシステム電源が安定して供給される。
【００２５】
マイクロコンピュータ１６は、メモリ３５から前回の設定データ等を読み込んだ後、各端子のチェック，カウント値を０にしてからのタイマー起動，撮影モードか再生モードか等のモードチェック等を行う。そして、各部の制御を開始する。例えば、撮影モードであれば、撮影レンズのレンズバリアを閉位置から開位置へ移動して撮影レンズを沈胴位置から撮影可能な初期撮影位置に移動させるとともに、液晶パネルの電源をオンにして撮影レンズを通して写される映像を表示する。また、主電源電圧検出回路１４からのＶＤＥＴ信号及び単安定マルチバイブレータＭＭ２からの出力（ＰＷｏｆｆ信号）を監視する。
【００２６】
デジタルカメラの使用を止めて電源をオフにするには、再び電源ボタンＳＷ１を押圧操作する。これにより、単安定マルチバイブレータＭＭ２からＰＷｏｆｆ信号が入力され、マイクロコンピュータ１６はパワーオフ処理を実行する。この時、同時にアンド回路２１から出力ＬｏがＯＲ回路２３と遅延回路ＤＬ１とに入力される。遅延回路ＤＬ１によりＯＲ回路２３の両方の入力端子がＬｏになるのが遅れるから、ＯＲ回路２３からの出力がＨｉからＬｏに変化するまでに時間的余裕（遅延時間）がある。このＯＲ回路２３からの出力がＨｉからＬｏに変化するまでの時間内に、マイクロコンピュータ１６によるパワーオフ処理が実行される。
【００２７】
パワーオフ処理では、まず、液晶パネル，撮影レンズ等の各部の終了動作、例えば液晶パネルの駆動停止及びバックライト消灯，撮影レンズの沈胴，レンズバリアの閉動作等を行う。次に、各種設定値等をバックアップデータとしてメモリ３５に記憶する。最後に、メモリ３５に繋がるマイクロコンピュータ１６の出力端子を機能抑止（disable ）してから、ＡＣＴ信号をＬｏにしてＰＷＣＴＬ信号をＬｏにすることにより、ＤＣ／ＤＣコンバータ３０がオフ（システム電源がオフ）した後、速やかにマイクロコンピュータ１６自身の電源が落ちる。なお、前記遅延回路ＤＬ１による遅延時間は、ＰＷＣＴＬ信号がＬｏになるまでの時間より長く設定されている。
【００２８】
デジタルカメラを使用中に単三型電池１１が消耗して、単三型電池１１の電圧が規定電圧Ｖ１より低下した場合、またはシステム電源が規定電圧Ｖ２より低下した場合には、マイクロコンピュータ１６は緊急パワーオフ処理を行う。この処理では、撮影レンズの沈胴やレンズバリアの閉動作を行う電力的な余裕がないため、メモリ３５に各種の設定データ等の書き込みを行った後、マイクロコンピュータ１６の出力端子を機能抑止してから、ＰＷＣＴＬ信号をＬｏにしてシステム電源をオフにし、マイクロコンピュータ１６自身の電源を落とす。この処理でも、データバックアップを必ず行ってからシステム電源をオフにしているので、単三型電池１１を新しいものに交換してから電源ボタンＳＷ１を押圧操作すれば、マイクロコンピュータ１６は正常に立ち上がり、撮影レンズ等は通常の立ち上げ初期状態に戻ってから、なんら問題なくデジタルカメラを使用できる。
【００２９】
マイクロコンピュータ１６の起動途中で単三型電池１１を誤って抜いてしまった等の事故が発生した場合、ＲＥＳＥＴ＝ＨｉかつＰＷＣＴＬ＝Ｈｉでマイクロコンピュータ１６の出力端子がいまだ機能抑止状態の時には、ＶＤＥＴ＝ＬｏとなってＰＷＣＴＬ＝Ｌｏとなり、システム電源が落ちるが、メモリ３５へのアクセスが発生していないから、メモリ３５内のデータは変更されていない。したがって、単三型電池１１を正しくセットし直してから、あらためて電源ボタンＳＷ１を押圧操作すれば、なんら問題なくマイクロコンピュータ１６が起動してデジタルカメラを使用できる。
【００３０】
また、前記事故の発生が、ＲＥＳＥＴ＝ＨｉかつＰＷＣＴＬ＝Ｈｉでマイクロコンピュータ１６がメモリ３５に書き込みを始める時である場合には、すでにマイクロコンピュータ１６がメモリ３５からＯＳを読み込んでモードチェック等の初期動作を終了している状態であるから、マイクロコンピュータ１６は通常通りにパワーオフ制御を実行することができる。したがって、この場合、マイクロコンピュータ１６は、上述した緊急パワーオフ処理を行ってから自身の電源を切るから、単三型電池１１を正しくセットし直してから、あらためて電源ボタンＳＷ１を押圧操作すれば、なんら問題なくマイクロコンピュータ１６が起動してデジタルカメラを使用できる。
【００３１】
次に、第２実施形態を示す図５において、電源制御装置４０は、上記に説明した第１実施形態のメモリ３５の代わりに揮発性メモリであるＲＡＭ４１を用いるとともに、このＲＡＭ４１にバックアップ用の電源回路を付加したものである。この電源回路は、充電回路４２，充電電圧検出回路４３，スイッチＳＷ４，コンデンサ４４から構成され、コンデンサ４４がＲＡＭ４１に接続されている。なお、コンデンサ４４は、大容量のものを使用する。また、コンデンサ４４は、例えばポリアセン電池等の二次電池に代えてもよい。
【００３２】
電源制御装置４０を搭載したデジタルカメラの電池室に単三型電池１１をセットすると、充電回路４２が作動を開始する。充電回路４２からの出力電圧が所定の充電電圧に達すると、充電電圧検出回路４３がこれを検出してスイッチＳＷ４をオンにし、充電回路４２によってＲＡＭ４１のバックアップが行われるとともに、コンデンサ４４が充電される。
【００３３】
単三型電池１１が消耗して規定電圧より低下したり、単三型電池１１が抜かれた場合には、充電回路４２からの出力電圧が所定の充電電圧より低下またはゼロになるから、充電電圧検出回路４３がこれを検出してスイッチＳＷ４をオフにする。スイッチＳＷ４がオフにされた後は、コンデンサ４４の放電電圧によってＲＡＭ４１のバックアップが行われる。
【００３４】
上記第１、第２実施形態に用いた遅延回路ＤＬ１，ＤＬ２は、コンデンサを使った一般的なものである。コンデンサの容量や温度特性は、完全に一定にすることが困難であるため、延回路ＤＬ１，ＤＬ２が生成する遅延時間に誤差が生じやすかった。この点を改善した第３実施形態を示す図６において、電源制御装置５０は、前記遅延回路ＤＬ１，ＤＬ２の代わりに、カウンタＣＴ１，ＣＴ２を用いている。このカウンタＣＴ１，ＣＴ２は、時計回路５１が生成するクロックパルスをカウントすることにより、前記遅延回路ＤＬ１，ＤＬ２より正確な遅延動作を行う。なお、第１実施形態と同じ構成には同じ符号が付してある。
【００３５】
前記時計回路５１は、これに組み込まれた発振器５２が発生するクロックパルスを増幅，分周して所定周波数のクロックパルスを生成する。時計回路５１が生成するクロックパルスは、カウンタＣＴ１，ＣＴ２だけではなく、単安定マルチバイブレータＭＭ１，２及びマイクロコンピュータ１６にも送られ、電源制御装置５０全体のタイミング制御に使用される。前記発振器５２としては、例えば水晶振動子，圧電セラミックス等が用いられる。なお、電源制御装置５０の動作は、上記第１実施形態と同様であるから説明を省略する。また、本実施形態では、前記時計回路５１と電源起動回路１５とを同じＩＣに集積することにより、カウンタＣＴ１，ＣＴ２の動作精度がより向上することが分かった。
【００３６】
以上説明した実施形態は、デジタルカメラであったが、本発明はこれに限定されることなく、デジタルビデオカメラ，携帯型情報端末（ＰＤＡ），携帯電話，ボイスメモ，携帯型オーディオプレイヤー等の電子機器にも適用できる。
【００３７】
上記実施形態では、電源スイッチとして、押圧操作される電源ボタンを採用したが、ダイヤル式やレバー式等でもよい。また、主電源の有無を検出するために主電源の電圧を検出したが、主電源の電流を検出するようにしてもよい。
【００３８】
【発明の効果】
以上説明したように、本発明の電源制御装置によれば、電源を入れない状態ではマイクロコンピュータに電流は流れないから、電子機器を使用しない状態で主電源の消耗をほとんどなくすことができる。また、電源スイッチのオン信号が一定期間のみ出力されるから、電源起動／電源オフを勝手に繰り返す事故を防止できる。また、電源供給回路を起動させる際には遅延させず、かつ停止させる際には一定時間遅延させるから、起動時間は短く、かつ電源が抜けた場合等では電源電圧を長くもたせてデータのバックアップ等を行うことができる。また、マイクロコンピュータのリセットは遅延させ、停止は速やかに行うようにしたので、電源供給回路の出力が十分に安定してからマイクロコンピュータを安全，確実に起動できるとともに、データバックアップ等の電源オフ処理が済み次第速やかにマイクロコンピュータの電源をオフにできる。また、前記遅延手段は、一定のクロックパルスを生成する時計手段によって制御されるから、遅延手段を構成する部品のバラツキや温度特性による誤差をなくすことができ、正確なタイミングで遅延動作を行うことができる。
【図面の簡単な説明】
【図１】電源制御装置の第１実施形態を示すブロック図である。
【図２】電源制御装置のタイムチャートである。
【図３】電源制御装置のパワーオン制御を示すフローチャートである。
【図４】電源制御装置のパワーオフ制御を示すフローチャートである。
【図５】電源制御装置の第２実施形態を示すブロック図である。
【図６】電源制御装置の第３実施形態を示すブロック図である。
【符号の説明】
１０，４０，５０  電源制御装置
１１  単三型電池
１４  主電源電圧検出回路
１５  電源起動回路
１６  マイクロコンピュータ
３０  ＤＣ／ＤＣコンバータ
３２  システム電源電圧検出回路
３５  メモリ
４１  ＲＡＭ
４２  充電回路
５１  時計回路
５２  発振器
ＣＴ１，ＣＴ２  カウンタ
ＤＬ１，ＤＬ２  遅延回路
ＭＭ１，ＭＭ２  単安定マルチバイブレータ
ＳＷ１  電源ボタン
ＳＷ２〜４  スイッチ
【図１】
0003990174.tif 000002
【図２】
0003990174.tif 000003
【図３】
0003990174.tif 000004
【図４】
0003990174.tif 000005
【図５】
0003990174.tif 000006
【図６】
0003990174.tif 000007